(57)【要約】【課題】断熱性能及び気密性能の向上を図ることができる自動販売機を提供すること。【解決手段】本体キャビネット１の内部の商品収容庫２と、商品収容庫２の前面開口を開閉する態様で揺動可能に配設され、かつ商品収容庫２から払い出された商品を通過させる商品搬出口２３を有する内扉２０と、本体キャビネット１の前面開口を開閉する外扉３０に設けられ、商品搬出口２３を通過した商品を収容し、かつ外扉３０に形成された商品取出口３２を通じて商品を取出可能にする商品取出部３３と、商品取出口３２を開閉する商品取出扉３４を備え、商品取出部３３は、天板３３１、底板３３２及び一対の側板３３３がそれぞれ断熱材を有して形成され、かつ外扉３０が本体キャビネット１の前面開口を閉成する場合にはパッキンＰを介して内扉２０及び本体キャビネット１に密着し、かつ商品取出扉３４は、断熱材を有して形成されている。【選択図】図２
2013015895.tif 000002
【特許請求の範囲】
【請求項１】
前面が開口した自動販売機本体の内部に、前面が開口して設けられた断熱構造の商品収容庫と、
前記商品収容庫の前面開口を開閉する態様で前記自動販売機本体に揺動可能に配設され、かつ前記商品収容庫から払い出された商品を通過させるための商品搬出口を有する断熱構造の内扉と、
前記自動販売機本体の前面開口を開閉する態様で該自動販売機本体に揺動可能に配設された外扉に設けられ、前記商品収容庫から払い出されて前記商品搬出口を通過した商品を収容し、かつ該外扉に形成された商品取出口を通じて該商品を取出可能にする商品取出部と、
前記商品取出口を開閉する態様で前記外扉に揺動可能に配設された商品取出扉と
を備えた自動販売機において、
前記商品取出部は、自身を構成する天板、底板及び一対の側板がそれぞれ断熱材を有して形成され、かつ前記外扉が前記自動販売機本体の前面開口を閉成する場合にはパッキンを介して前記内扉及び前記自動販売機本体に密着しており、
前記商品取出扉は、断熱材を有して形成されたことを特徴とする自動販売機。
【請求項２】
前記商品取出扉の断熱材には、前記商品取出部に収容された商品を視認させるためのスリット状開口部が形成してあることを特徴とする請求項１に記載の自動販売機。
【発明の詳細な説明】
【技術分野】
【０００１】
本発明は、自動販売機に関し、より詳細には、例えば缶入り飲料やペットボトル入り飲料等の商品を販売する自動販売機に関するものである。
【背景技術】
【０００２】
従来、例えば缶入り飲料やペットボトル入り飲料等の商品を販売する自動販売機として、商品収容庫、内扉及び外扉を備えたものが知られている。商品収容庫は、前面に開口が形成された直方体状の自動販売機本体の内部に、前面が開口した状態で設けられている。この商品収容庫は、内部に収納する商品を所望の温度状態に保持するためのもので、断熱構造を有している。内扉は、断熱構造を有しており、商品収容庫の前面開口を開閉する態様で自動販売機本体に揺動可能に配設されている。この内扉には、商品収容庫から払い出された商品を通過する矩形状の商品搬出口が形成されている。かかる商品搬出口は、商品搬出扉により開閉されるものである。外扉は、自動販売機本体の前面開口を開閉する態様で自動販売機本体に揺動可能に配設されている。この外扉には、商品収容庫から払い出されて商品搬出口を通過した商品を収容し、かつ商品取出口を通じて該商品を取出可能にする商品取出部が設けられている。
【０００３】
このような自動販売機においては、商品搬出扉は樹脂材により形成されるものであり、商品取出部は、金属製の板状体である天板、底板及び左右一対の側板により囲繞されて形成されるものである（例えば、特許文献１参照）。
【先行技術文献】
【特許文献】
【０００４】
【特許文献１】特開２００７−５２５２８号公報
【発明の概要】
【発明が解決しようとする課題】
【０００５】
ところが、このような自動販売機では、商品取出部が金属製の板状体である天板、底板及び左右一対の側板により囲繞されて形成されていたので、かかる商品取出部の断熱性能及び気密性能は十分に高いものとはいえない。そのため、商品搬出扉が樹脂材から成るため、内扉が商品収容庫の前面開口を閉成していたとしても商品搬出扉及び商品取出部を経由して過大な熱リークが生ずる虞れがあった。
【０００６】
本発明は、上記実情に鑑みて、断熱性能及び気密性能の向上を図ることができる自動販売機を提供することを目的とする。
【課題を解決するための手段】
【０００７】
上記目的を達成するために、本発明の請求項１に係る自動販売機は、前面が開口した自動販売機本体の内部に、前面が開口して設けられた断熱構造の商品収容庫と、前記商品収容庫の前面開口を開閉する態様で前記自動販売機本体に揺動可能に配設され、かつ前記商品収容庫から払い出された商品を通過させるための商品搬出口を有する断熱構造の内扉と、前記自動販売機本体の前面開口を開閉する態様で該自動販売機本体に揺動可能に配設された外扉に設けられ、前記商品収容庫から払い出されて前記商品搬出口を通過した商品を収容し、かつ該外扉に形成された商品取出口を通じて該商品を取出可能にする商品取出部と、前記商品取出口を開閉する態様で前記外扉に揺動可能に配設された商品取出扉とを備えた自動販売機において、前記商品取出部は、自身を構成する天板、底板及び一対の側板がそれぞれ断熱材を有して形成され、かつ前記外扉が前記自動販売機本体の前面開口を閉成する場合にはパッキンを介して前記内扉及び前記自動販売機本体に密着しており、前記商品取出扉は、断熱材を有して形成されたことを特徴とする。
【０００８】
また、本発明の請求項２に係る自動販売機は、上述した請求項１において、前記商品取出扉の断熱材には、前記商品取出部に収容された商品を視認させるためのスリット状開口部が形成してあることを特徴とする。
【発明の効果】
【０００９】
本発明の自動販売機によれば、商品取出部は、自身を構成する天板、底板及び一対の側板がそれぞれ断熱材を有して形成され、かつ外扉が自動販売機本体の前面開口を閉成する場合にはパッキンを介して内扉及び自動販売機本体に密着しており、商品取出扉は、断熱材を有して形成されているので、商品搬出扉が従来のように樹脂材で形成したものであっても、商品取出部及び商品取出扉で商品搬出口の外部に断熱構造を有する密閉空間を形成することができる。従って、断熱性能及び気密性能の向上を図ることができるという効果を奏する。
【図面の簡単な説明】
【００１０】
【図１】図１は、本発明の実施の形態である自動販売機を示す断面側面図である。
【図２】図２は、図１に示した内扉及び商品取出部の構成を模式的に示す断面側面図である。
【図３】図３は、図１に示した内扉及び商品取出部の構成を模式的に示す断面側面図である。
【図４】図４は、図１に示した内扉及び商品取出部の構成を模式的に示す断面側面図である。
【図５】図５は、本発明の実施の形態である自動販売機の変形例を示すもので、内扉及び商品取出部の構成を模式的に示す断面側面図である。
【図６】図６は、本発明の実施の形態である自動販売機の変形例を示すもので、商品取出部の構成を模式的に示す斜視図である。
【図７】図７は、本発明の実施の形態である自動販売機の変形例を示すもので、内扉及び商品取出部の構成を模式的に示す断面側面図である。
【図８】図８は、本発明の実施の形態である自動販売機の他の変形例を示すもので、商品取出部の構成を模式的に示す斜視図である。
【発明を実施するための形態】
【００１１】
以下に添付図面を参照して、本発明に係る自動販売機の好適な実施の形態について詳細に説明する。
【００１２】
図１は、本発明の実施の形態である自動販売機を示す断面側面図である。ここで例示する自動販売機は、例えば缶入り飲料やペットボトル入り飲料等の商品を冷却、若しくは加熱した状態で販売するもので、自動販売機本体である本体キャビネット１を備えている。
【００１３】
本体キャビネット１は、複数の金属板を適宜組み合わせることによって構成したもので、前面が開口した直方体状に構成してある。この本体キャビネット１には、その内部に前面が開口した断熱構造の商品収容庫２が設けてある。本実施の形態では、本体キャビネット１の内面に予め板状に成形した断熱ボード３を配設することにより、これら断熱ボード３によって囲まれる空間に商品収容庫２を構成するようにしている。断熱ボード３は、図には明示していないが、発泡ウレタン等の断熱材によって成形した板状部材の表裏両面にそれぞれ面材として樹脂フィルムやクラフト紙を貼着したものである。
【００１４】
この商品収容庫２には、商品収納ラック５が配設してある。商品収納ラック５は、一対の側板５ａの間に通路形成部材５ｂを配設することによって上下方向に沿って延在する蛇行状の商品収納域６を構成したもので、商品収納域６に商品を収納する一方、商品販売指令が与えられた場合に最下位に位置するものから商品の払い出しを行う。本実施の形態では、複数の商品収納域６を有した商品収納ラック５を前後に配設するようにしている。
【００１５】
また、商品収容庫２には、下方部に商品シュータ７及び背面ダクト８が設けてある。商品シュータ７は、多数の通気孔を有した平板状部材であり、商品収容庫２の後方から前方に向けて漸次低くなる態様で傾斜して配設してある。背面ダクト８は、商品収容庫２において背面側に位置する部分に設けた導風路である。
【００１６】
商品シュータ７よりも下方となる部分には、後方側から蒸発器１０ａ、ヒータ１１及び庫内送風ファン１２が順次配置してある。蒸発器１０ａは、商品収容庫２の下部の機械室４に配置した圧縮機１０ｂ、凝縮器１０ｃ及び膨張機構１０ｄとともに冷却ユニット１０を構成するものである。ヒータ１１は、通電状態となる場合に発熱するものである。庫内送風ファン１２は、モータ１３が駆動した場合に商品収容庫２の後方から前方に向けて送風を行うものである。
【００１７】
一方、上記自動販売機には、内扉２０及び外扉３０が設けてある。内扉２０は、商品収容庫２の前面開口を覆うためのもので、本体キャビネット１の一側縁部に開閉可能に配設した自動販売機用扉体である。この内扉２０は、図２に示すように、扉基体２１と商品搬出口枠２２とを備えて構成してある。
【００１８】
扉基体２１は、枠体としての扉基体板金と発泡ウレタン等の断熱材とによって成形した板状部材である。この扉基体２１には、上述した断熱ボード３と同様に、その表裏両面の所定個所に面材としての樹脂フィルムやクラフト紙が貼着してある。
【００１９】
商品搬出口枠２２は、扉基体２１に装着することによって矩形状の商品搬出口２３を構成するものである。このような商品搬出口２３は、商品収容庫２の商品収納ラック５から払い出され、かつ商品シュータ７を転動した商品を通過させるための開口である。
【００２０】
このような内扉２０においては、商品搬出口枠２２に商品搬出扉２４が設けてある。商品搬出扉２４は、商品搬出口２３を閉成するのに十分な大きさを有しており、樹脂材から形成されたものである。この商品搬出扉２４は、内方側から押された場合に商品搬出口２３が開成状態となるように上方の水平軸２５を中心として揺動可能に配設してあり、常態においては、自身の自重のモーメントにより商品搬出口２３を閉成している。
【００２１】
外扉３０は、本体キャビネット１の前面開口を覆うためのもので、内扉２０よりも前方側となる位置において、本体キャビネット１の一側縁部に開閉可能に配設してある。外扉３０の前面には、商品を販売する際に必要となるディスプレイウィンドウ３１や商品取出口３２が設けてあるとともに、図には明示しないが、商品選択ボタン、紙幣挿通口、硬貨投入口、返却レバー、金額表示器、硬貨返却口等が設けてある。
【００２２】
この外扉３０には、商品取出部３３が設けてある。商品取出部３３は、天板３３１、底板３３２及び一対の側板３３３に囲繞されるよう形成してあり、商品収容庫２における商品収納ラック５から払い出されて内扉２０の商品搬出口２３を通過した商品を収容し、かつ商品取出口３２を通じて該商品を取出可能にするものである。
【００２３】
このような商品取出部３３を構成する天板３３１、底板３３２及び一対の側板３３３は、硬質樹脂材を成形し、その内部に断熱材が配設されることにより形成された断熱構造を有するものである。そして、外扉３０が本体キャビネット１の前面開口を閉成する場合、天板３３１は、パッキンＰを介して内扉２０に密着しており、底板３３２は、パッキンＰを介して本体キャビネット１に密着している。尚、図には明示していないが、底板３３２に取り付けられたパッキンＰには、結露水が通過するための孔が形成してある。
【００２４】
また、上記外扉３０には、商品取出扉３４が設けてある。商品取出扉３４は、商品取出口３２を閉成するのに十分な大きさを有しており、硬質樹脂材を成形し、その内部に断熱材が配設されることにより形成された断熱構造を有するものである。この商品取出扉３４は、前方側に引き出された場合に商品取出口３２が開成状態となるように上方の水平軸３５を中心として揺動可能に配設してあり、常態においては、自身の自重のモーメントにより商品取出口３２を閉成している。
【００２５】
以上のように構成した自動販売機では、冷却ユニット１０を駆動した状態で庫内送風ファン１２を駆動すると、蒸発器１０ａにより冷却された空気が商品シュータ７の通気孔を通じて商品収納ラック５に供給される一方、商品収納ラック５を通過した空気が背面ダクト８を通じて庫内送風ファン１２に返却されることになり、商品収納ラック５に収納した商品を例えば５℃程度に冷却することが可能になる。
【００２６】
これとは逆に、ヒータ１１を通電状態にして庫内送風ファン１２を駆動すると、ヒータ１１に加熱された空気が商品シュータ７の通気孔を通じて商品収納ラック５に供給される一方、商品収納ラック５を通過した空気が背面ダクト８を通じて庫内送風ファン１２に返却されることになり、商品収納ラック５に収納した商品を例えば５５℃程度に加熱することが可能になる。
【００２７】
購入者の購入操作に応じて商品販売指令が与えられると、対応する商品収納ラック５において最下位に収納された商品が商品シュータ７に払い出される。商品シュータ７に払い出された商品は、その傾斜にしたがって順次案内され、商品搬出口２３を閉成する商品搬出扉２４に当接する。これにより、商品搬出扉２４は開移動して商品搬出口２３を開成させ、この結果、図３に示すように、商品が商品搬出口２３を通過して商品取出部３３に収容される。
【００２８】
そして、購入者が商品取出部３３に収容された商品を取り出すために商品取出扉３４を開移動させると、図４に示すように、購入者は、商品取出口３２を通じて商品取出部３３に収容された商品を取り出すことができる。
【００２９】
以上説明したように、本実施の形態である自動販売機においては、商品取出部３３は、天板３３１、底板３３２及び一対の側板３３３がそれぞれ断熱材を有して形成され、かつ外扉３０が本体キャビネット１の前面開口を閉成する場合にはパッキンＰを介して内扉２０及び本体キャビネット１に密着しており、しかも、商品取出扉３４は、断熱材を有して形成されているので、商品搬出扉２４が従来のように樹脂材で形成したものであっても、商品取出部３３及び商品取出扉３４で商品搬出口２３の外部に断熱構造を有する密閉空間を形成することができる。
【００３０】
従って、本実施の形態である自動販売機によれば、断熱性能及び気密性能の向上を図ることができる。
【００３１】
また、断熱性能及び気密性能の向上を図ることができることで、商品収容庫２からの熱リークを抑制でき、消費電力量の低減による省エネルギー化を図ることができる。
【００３２】
以上、本発明の好適な実施の形態について説明したが、本発明はこれに限定されるものではなく、種々の変更を行うことができる。
【００３３】
上述した実施の形態では、商品取出扉３４は、硬質樹脂材を成形し、その内部に断熱材が配設されることにより形成された断熱構造を有するものであったが、本発明においては、図５に示すように、スリット状開口部３６を形成しても良い。このようにスリット状開口部３６を形成することにより、かかるスリット状開口部３６を通じて商品取出部３３に収容された商品を視認させることができ、購入者の利便性を向上させることができる。
【００３４】
上述した実施の形態では、商品取出部３３が一つの商品搬出口２３を臨む場合について説明したが、本発明においては、各商品収容庫２に対応して設けられた商品搬出口２３を臨む商品取出部３３であっても構わない。この場合、商品収容庫２によっては、商品を冷却した状態に保持しているものと、商品を加熱した状態で保持しているものとが併存することがある。よって、図６及び図７に示すように、異なる温度帯の商品収容庫２に対応した商品搬出口２３と商品搬出口２３との間に断熱性能を有する循環抑止隔離板３７を取り付けるようにしても良い。この循環抑止隔離板３７は、商品取出部３３において上方側に取り付けることが好ましい。これにより商品取出部３３において、商品を加熱する商品収容庫２から漏れた空気（暖気）と、商品を冷却する商品収容庫２から漏れた空気（冷気）とが積極的に混ざり合うことを抑制することができる。また、このような循環抑止隔離板３７を取り付けるのではなく、図８に示すように、軟質な樹脂材から形成されたシート３８を取り付けるようにしても構わない。
【産業上の利用可能性】
【００３５】
以上のように、本発明に係る自動販売機は、例えば缶入り飲料やペットボトル入り飲料等の商品を販売するのに有用である。
【符号の説明】
【００３６】
１  本体キャビネット
２  商品収容庫
５  商品収納ラック
６  商品収納域
１０  冷却ユニット
１１  ヒータ
２０  内扉
２１  扉基体
２２  商品搬出口枠
２３  商品搬出口
２４  商品搬出扉
２５  水平軸
３０  外扉
３２  商品取出口
３３  商品取出部
３３１  天板
３３２  底板
３３３  側板
Ｐ  パッキン
３４  商品取出扉
３５  水平軸
３６  スリット状開口部
【図１】
2013015895.tif 000003
【図２】
2013015895.tif 000004
【図３】
2013015895.tif 000005
【図４】
2013015895.tif 000006
【図５】
2013015895.tif 000007
【図６】
2013015895.tif 000008
【図７】
2013015895.tif 000009
【図８】
2013015895.tif 000010